(57)【要約】  ディスプレイ装置が開示される。本ディスプレイ装置は、入力映像を受信する通信インターフェース部と、入力映像のうち、ディスプレイ装置に表示される映像をイメージ処理するイメージ処理部と、イメージ処理された映像を表示するディスプレイ部と、ディスプレイシステム上でディスプレイ装置の配置位置に基づいてディスプレイ装置と垂直方向に隣接する他ディスプレイ装置における第１スキャニング方向と反対となる第２スキャニング方向にイメージ処理された映像が表示されるようにディスプレイ部を制御する制御部とを含む。
2018504620.tif 000002
【特許請求の範囲】
【請求項１】
ディスプレイシステムを構成する複数のディスプレイ装置のうちの１つのディスプレイ装置において、
入力映像を受信する通信インターフェース部と、
前記入力映像のうち、前記ディスプレイ装置に表示される映像をイメージ処理するイメージ処理部と、
前記イメージ処理された映像を表示するディスプレイ部と、
前記ディスプレイシステム上でディスプレイ装置の配置位置に基づいて前記ディスプレイ装置と垂直方向に隣接する他ディスプレイ装置における第１スキャニング方向と反対となる第２スキャニング方向に前記イメージ処理された映像が表示されるように前記ディスプレイ部を制御する制御部と
を含むディスプレイ装置。
【請求項２】
前記ディスプレイ装置は、
前記映像の表示方向を基準に１８０度回転されて前記他端末装置と配置され、
前記イメージ処理部は、
前記ディスプレイ装置に表示される映像を回転イメージ処理することを特徴とする請求項１に記載のディスプレイ装置。
【請求項３】
前記ディスプレイ部は、
前記イメージ処理された映像を複数の領域に区画し、前記区画された複数の領域を上部から下段方向に更新する第１スキャンモードと、前記区画された複数の領域を下部から上部方向に更新する第２スキャンモードとを有し、
前記制御部は、
前記ディスプレイ部が第２スキャンモードで前記イメージ処理された映像を表示するように制御することを特徴とする請求項１に記載のディスプレイ装置。
【請求項４】
前記制御部は、
前記隣接するディスプレイ装置によって表示されるそれぞれの映像を隣接するディスプレイ装置が回転イメージ処理すると、前記イメージ処理部でイメージ処理された映像が予め設定された時間分遅延して表示されるように前記ディスプレイ部を制御することを特徴とする請求項１に記載のディスプレイ装置。
【請求項５】
前記ディスプレイ装置のディスプレイシステム上の配置位置が入力されるユーザインターフェース部を更に含み、
前記制御部は、
前記入力された配置位置に基づいて前記ディスプレイ装置と垂直方向に隣接した他ディスプレイ装置における第１スキャニング方向と反対となる第２スキャニング方向に前記イメージ処理された映像が表示されるように前記ディスプレイ部を制御することを特徴とする請求項１に記載のディスプレイ装置。
【請求項６】
前記ディスプレイ装置の配置方向を検知するセンサ部を更に含み、
前記イメージ処理部は、
前記検知された配置方向に応じて、前記ディスプレイ装置に表示される映像を回転イメージ処理することを特徴とする請求項１に記載のディスプレイ装置。
【請求項７】
前記制御部は、
前記ディスプレイシステム上で前記ディスプレイ装置の配置位置に基づいて位置ディレイタイムを設定し、前記通信インターフェース部で前記入力映像が受信されると、前記位置ディレイタイムが経過した後、前記ディスプレイ部で前記イメージ処理された映像を表示するように前記ディスプレイ部を制御することを特徴とする請求項１に記載のディスプレイ装置。
【請求項８】
前記通信インターフェース部は、
前記他ディスプレイ装置から入力映像を受信することを特徴とする請求項１に記載のディスプレイ装置。
【請求項９】
前記通信インターフェース部は、
前記他ディスプレイ装置に前記受信された入力映像を伝送することを特徴とする請求項１に記載のディスプレイ装置。
【請求項１０】
ディスプレイシステムを構成する複数のディスプレイ装置のうちの１つのディスプレイ装置のディスプレイ方法において、
入力映像を受信するステップと、
前記入力映像のうち、ディスプレイ装置に表示される映像をイメージ処理するステップと、
前記ディスプレイシステム上でディスプレイ装置の配置位置に基づいて前記ディスプレイ装置と垂直方向に隣接する他ディスプレイ装置における第１スキャニング方向と反対となる第２スキャニング方向に前記イメージ処理された映像を表示するステップとを含むディスプレイ方法。
【請求項１１】
前記ディスプレイ装置は、
前記映像の表示方向を基準に１８０度回転されて前記隣接する他端末装置と配置され、
前記イメージ処理するステップは、
前記ディスプレイ装置に表示される映像を回転イメージ処理することを特徴とする請求項１０に記載のディスプレイ方法。
【請求項１２】
前記表示するステップは、
前記イメージ処理された映像を複数の領域に区画し、前記区画された複数の領域を上部から下段方向に更新する第１スキャンモードと、前記区画された複数の領域を下部から上部方向に更新する第２スキャンモードとを有し、前記第２スキャンモードで前記イメージ処理された映像を表示することを特徴とする請求項１０に記載のディスプレイ方法。
【請求項１３】
前記表示するステップは、
前記隣接するディスプレイ装置がそれぞれの映像を回転イメージ処理すると、前記イメージ処理された映像を予め設定された時間分遅延した後、表示することを特徴とする請求項１０に記載のディスプレイ方法。
【請求項１４】
前記ディスプレイ装置のディスプレイシステム上の配置位置が入力されるステップを更に含み、
前記表示するステップは、
前記入力された配置位置に基づいて前記ディスプレイ装置と垂直方向に隣接した他ディスプレイ装置における第１スキャニング方向と反対となる第２スキャニング方向に前記イメージ処理された映像を表示することを特徴とする請求項１０に記載のディスプレイ方法。
【請求項１５】
前記ディスプレイ装置の配置方向を検知するステップを更に含み、
前記イメージ処理するステップは、
前記検知された配置方向に応じて、前記ディスプレイ装置に表示される映像を回転イメージ処理することを特徴とする請求項１０に記載のディスプレイ方法。
【発明の詳細な説明】
【技術分野】
【０００１】
本発明は、ディスプレイ装置、それを含むディスプレイシステム及びディスプレイ方法に関し、より詳細には、少なくとも１つの他ディスプレイ装置と連携してディスプレイシステムを構成するディスプレイ装置のスキャニング方向を制御し、２フレームが相接する領域で発生する歪みを取り除くためのディスプレイ装置、それを含むディスプレイシステム及びディスプレイ方法に関する。
【背景技術】
【０００２】
通常、ディスプレイ装置は、画面上に映像を表示する装置である。このようなディスプレイ装置を用いて、多様な機能を実現することができる。複数のディスプレイ装置で構成されたディスプレイシステムは、広告、エンターテイメント、スポーツ、放送などの目的で複数のディスプレイ装置が同時に使われ、１つの映像を表現する技術である。別の例として、複数のディスプレイ装置で構成されたディスプレイシステムは、同一のイメージを複数のスクリーン上にディスプレイすることができる。
【０００３】
例えば、複数のディスプレイ装置で構成されたディスプレイシステムは、博覧会、会議などの大型画面が必要となる場所でディスプレイシステムを構成するそれぞれのディスプレイ装置が同一の映像をディスプレイしたり、相互異なる映像をそれぞれディスプレイして１つの全映像として組み合わせる形態でディスプレイするのに使用された。
【０００４】
このようなディスプレイシステムは、それぞれのディスプレイ装置に入力映像を順次に伝達したり、ディスプレイ装置それぞれに入力映像を個別に伝達することができる。一般的に、回路構成を統一して単純化することができ、コスト面で有利な順次に伝達する方法が利用されるが、この場合、ディスプレイ装置を通過する度にかかるディレイ（Ｄｅｌａｙ）により、ディスプレイシステムを構成する複数のディスプレイ装置で再生させる映像に差が生じるという問題点があった。
【０００５】
なお、ディスプレイ装置を構成するパネルは、映像をパネル上段から下段まで順次に表示するか、パネル下段から上段まで順次に表示する。この場合、パネル最上段から最下段（または、最下段から最上段）まで映像を表示するのにかかる時間は、パネルのフレーム比率（Ｆｒａｍｅ  Ｒａｔｅ）に比例してかかる。すなわち、フレーム比率が６０Ｈｚである場合は１７．６ｍｓ、１２０Ｈｚである場合は８．８ｍｓ、２４０Ｈｚである場合は４．４ｍｓがかかるが、それをスキャニングディレイ（Ｓｃａｎｎｉｎｇ  ｄｅｌａｙ）という。このようなスキャニングディレイによって、特定時間を基準にパネルの最上段に表示されるフレームとパネルの最下段に表示されるフレームとが相互異なるフレームになることがあるが、ディスプレイシステムにおいて上下に配置されたディスプレイ装置が相接する箇所において、２ディスプレイ装置に表示されるフレームの同期化が取れている状態でも、２フレームが相接する領域では歪みが発生するという問題点がある。このような歪みはそれぞれのディスプレイ装置で発生するスキャニング遅れによって引き起こされる可能性がある。
【発明の概要】
【発明が解決しようとする課題】
【０００６】
そこで、本発明は、上記問題に鑑みてなされたものであり、本発明の目的とするところは、少なくとも１つの他ディスプレイ装置と連携してディスプレイシステムを構成するディスプレイ装置のスキャニング方向を制御し、２フレームが相接する領域で発生する歪みを取り除くためのディスプレイ装置、それを含むディスプレイシステム及びディスプレイ方法を提供することにある。
【課題を解決するための手段】
【０００７】
上記のような目的を達成するための本発明の一実施形態に係るディスプレイ装置は、入力映像を受信する通信インターフェース部と、前記入力映像のうち、前記ディスプレイ装置に表示される映像をイメージ処理するイメージ処理部と、前記イメージ処理された映像を表示するディスプレイ部と、前記ディスプレイシステム上でディスプレイ装置の配置位置に基づいて前記ディスプレイ装置と垂直方向に隣接する他ディスプレイ装置における第１スキャニング方向と反対となる第２スキャニング方向に前記イメージ処理された映像が表示されるように前記ディスプレイ部を制御する制御部とを含む。
【０００８】
この場合、本ディスプレイ装置は、前記映像の表示方向を基準に１８０度回転されて前記他端末装置と配置され、前記イメージ処理部は、前記ディスプレイ装置に表示される映像を回転イメージ処理してよい。
【０００９】
一方、前記ディスプレイ部は、前記イメージ処理された映像を複数の領域に区画し、前記区画された複数の領域を上部から下段方向に更新する第１スキャンモードと、前記区画された複数の領域を下部から上部方向に更新する第２スキャンモードとを有し、前記制御部は、前記ディスプレイ部が第２スキャンモードで前記イメージ処理された映像を表示するように制御してよい。
【００１０】
一方、前記制御部は、前記他端末装置が映像を回転イメージ処理すると、前記イメージ処理部でイメージ処理された映像が予め設定された時間分遅延して表示されるように前記ディスプレイ部を制御してよい。
【００１１】
一方、本ディスプレイ装置は、前記ディスプレイ装置のディスプレイシステム上の配置位置が入力されるユーザインターフェース部を更に含み、前記制御部は、前記入力された配置位置に基づいて前記ディスプレイ装置と垂直方向に隣接した他ディスプレイ装置における第１スキャニング方向と反対となる第２スキャニング方向に前記イメージ処理された映像が表示されるように前記ディスプレイ部を制御してよい。
【００１２】
一方、本ディスプレイ装置は、前記ディスプレイ装置の配置方向を検知するセンサ部を更に含み、前記イメージ処理部は、前記検知された配置方向に応じて、前記ディスプレイ装置に表示される映像を回転イメージ処理してよい。
【００１３】
一方、前記制御部は、前記ディスプレイシステム上で前記ディスプレイ装置の配置位置に基づいて位置ディレイタイムを設定し、前記通信インターフェース部で前記入力映像が受信されると、前記位置ディレイタイムが経過した後、前記ディスプレイ部で前記分割された映像のうちの１つの映像を表示するように前記ディスプレイ部を制御してよい。
【００１４】
一方、前記通信インターフェース部は、前記他ディスプレイ装置から入力映像を受信してよい。
【００１５】
一方、前記通信インターフェース部は、前記他ディスプレイ装置に前記受信された入力映像を伝送してよい。
【００１６】
一方、本発明の一実施形態に係るディスプレイシステムは、前記入力映像のうち、第１領域を表示する第１ディスプレイ装置と、前記第１ディスプレイ装置の下部に配置され、前記第１領域下部の第２領域を表示する第２ディスプレイ装置とを含み、前記第１ディスプレイ装置と前記第２ディスプレイ装置とのスキャニング方向は、相互垂直方向に反対である。
【００１７】
この場合、前記第１ディスプレイ装置は、前記第２ディスプレイ装置を基準に１８０度回転されて配置され、前記第１ディスプレイ装置に表示される映像を回転イメージ処理して表示してよい。
【００１８】
一方、本発明の一実施形態に係るディスプレイ方法は、入力映像を受信するステップと、前記入力映像のうち、ディスプレイ装置に表示される映像をイメージ処理するステップと、前記ディスプレイシステム上でディスプレイ装置の配置位置に基づいて前記ディスプレイ装置と垂直方向に隣接する他ディスプレイ装置における第１スキャニング方向と反対となる第２スキャニング方向に前記イメージ処理された映像を表示するステップとを含む。
【００１９】
この場合、前記ディスプレイ装置は、前記映像の表示方向を基準に１８０度回転されて前記他端末装置と配置され、前記イメージ処理するステップは、前記ディスプレイ装置に表示される映像を回転イメージ処理してよい。
【００２０】
一方、前記表示するステップは、前記イメージ処理された映像を複数の領域に区画し、前記区画された複数の領域を上部から下段方向に更新する第１スキャンモードと、前記区画された複数の領域を下部から上部方向に更新する第２スキャンモードとを有し、前記第２スキャンモードで前記イメージ処理された映像を表示してよい。
【００２１】
一方、前記表示するステップは、前記他端末装置が映像を回転イメージ処理すると、前記イメージ処理された映像を予め設定された時間分遅延した後、表示してよい。
【００２２】
一方、本ディスプレイ方法は、前記ディスプレイ装置のディスプレイシステム上の配置位置が入力されるステップを更に含み、前記表示するステップは、前記入力された配置位置に基づいて前記ディスプレイ装置と垂直方向に隣接した他ディスプレイ装置における第１スキャニング方向と反対となる第２スキャニング方向に前記イメージ処理された映像を表示してよい。
【００２３】
一方、本ディスプレイ方法は、前記ディスプレイ装置の配置方向を検知するステップを更に含み、前記イメージ処理するステップは、前記検知された配置方向に応じて、前記ディスプレイ装置に表示される映像を回転イメージ処理してよい。
【００２４】
一方、前記表示するステップは、前記ディスプレイシステム上で前記ディスプレイ装置の配置位置に基づいて位置ディレイタイムを設定し、前記通信インターフェース部で前記入力映像が受信されると、前記位置ディレイタイムが経過した後、前記イメージ処理された映像を表示してよい。
【００２５】
一方、前記受信するステップは、前記他ディスプレイ装置から入力映像を受信してよい。
【００２６】
一方、本ディスプレイ方法は、前記他ディスプレイ装置に前記受信された入力映像を伝送するステップを更に含んでよい。
【００２７】
１つ以上の実施形態に係る方法を行うために、コンピュータによって実行可能なコンピュータプログラムが記録されたコンピュータ読み取り可能な媒体が提供される。
【発明の効果】
【００２８】
以上説明したように、本発明によれば、
【図面の簡単な説明】
【００２９】
【図１】本発明の一実施形態に係る複数のディスプレイ装置で構成されたディスプレイシステムを説明するための図である。
【図２】本発明の一実施形態に係る複数のディスプレイ装置で構成されたディスプレイシステムを説明するための図である。
【図３】本発明の一実施形態に係るディスプレイシステムを構成するディスプレイ装置の構成を説明するためのブロック図である。
【図４】本発明の一実施形態に係るディスプレイ装置の入力映像を受信する方法を説明するための図である。
【図５】本発明の一実施形態に係るディスプレイ装置の入力映像を受信する方法を説明するための図である。
【図６】本発明の一実施形態に係る入力映像を分割する方法を説明するための図である。
【図７】本発明の一実施形態に係る映像をスキャニングする方向を示すための図である。
【図８】本発明の一実施形態に係る映像をスキャニングする方向を示すための図である。
【図９】本発明の一実施形態に係るディスプレイ装置が上下反転されて配置されるディスプレイシステムを説明するための図である。
【図１０】本発明の一実施形態に係るディスプレイ装置が上下反転されて配置されるディスプレイシステムを説明するための図である。
【図１１】本発明の一実施形態に係るディスプレイ装置の配置位置によるディレイを説明するための図である。
【図１２】本発明の一実施形態に係るディスプレイ装置の反転によるディレイを説明するための図である。
【図１３】本発明の一実施形態に係るディスプレイ装置のディスプレイ方法を説明するためのフローチャートである。
【図１４】本発明の一実施形態に係るディスプレイ装置の反転による反転映像を表示する方法を説明するためのフローチャートである。
【図１５】本発明の一実施形態に係るディスプレイ装置の反転による反転映像を表示する方法を説明するためのフローチャートである。
【図１６】本発明の一実施形態に係るディスプレイ装置の配置位置及び反転によるディレイを説明するためのフローチャートである。
【図１７】本発明の一実施形態に係るディスプレイ装置の配置位置及び反転によるディレイを説明するためのフローチャートである。
【図１８】本発明の一実施形態に係るディスプレイ方法を説明するためのシーケンス図である。
【図１９】本発明の一実施形態に係る複数のディスプレイ装置で構成されたディスプレイシステムを説明するための図である。
【発明を実施するための形態】
【００３０】
本実施形態は、多様な置き換えを施すことができ、様々な実施形態を有することができるため、特定の実施形態を図面に例示して詳細な説明に詳細に説明する。しかし、それは、特定の実施形態に対して範囲を限定しようとするものではなく、開示された思想及び技術範囲に含まれる全ての置き換え、均等物ないし代替物を含むものとして理解されるべきである。実施形態を説明するうえで、関連の公知技術に対する具体的な説明が要旨を曖昧にすると判断される場合には、その詳細な説明を省略する。
【００３１】
第１、第２などの用語は、多様な構成要素を説明するうえで使用され得るが、構成要素は用語によって限定されるべきではない。用語は、１つの構成要素を別の構成要素から区別するための目的としてのみ使用される。
【００３２】
本出願において使用される用語は、単に特定の実施形態を説明するために使用されたものとして、権利範囲を限定しようとする意図ではない。単数の表現は、文脈上明白に異なるものと意味しない限り、複数の表現を含む。本出願において、「含む」または「構成される」などの用語は、明細書上に記載された特徴、数字、ステップ、動作、構成要素またはこれらを組み合わせたものが存在することを指定するためのものであって、１つまたはそれ以上の別の特徴、数字、ステップ、動作、構成要素またはこれらを組み合わせたものの存在または付加可能性を予め排除しないものと理解されるべきである。
【００３３】
実施形態において、「モジュール」或いは「部」は、少なくとも１つの機能や動作を行い、ハードウェアまたはソフトウェアで実現したり、ハードウェアとソフトウェアとの組み合わせで実現されてよい。なお、複数の「モジュール」或いは「部」は、特定のハードウェアで実現される必要のある「モジュール」或いは「部」はを除いては、少なくとも１つのモジュールに一体化して少なくとも１つのプロセッサ（図示せず）で実現されてよい。
【００３４】
１つ以上の実施形態は、個別ディスプレイパネルがスキャニング遅延によって特定時間にイメージを表示する際、個別ディスプレイパネルのスキャン方向を制御して発生するイメージの歪みを軽減させるマルチパネルディスプレイシステム及びその制御方法に関する。例えば、スキャンを行う個別パネルを制御できる方向によって歪みが少ない。
【００３５】
スキャニングとは、イメージが電子スクリーン上に写される方法を指す。画面の画は、いくつかの水平線で構成される（例えば、４８０の水平線）。２つの集合、奇数及び偶数に分かれる。インターレーススキャニング（飛び越え走査方式）は、テレビ画面で画を構成する線が交互に写される過程をいう。イメージを表示するために、テレビは奇数番目の線を全て上から下に順次に写してから、偶数番目の線を埋めるために引き続き進める。例えば、プロセスは、秒当り３０フレームの速度で進められてよい。すなわち、全プロセスは、約１／３０秒しかかかりません。多くの旧型テレビは飛び越え走査方式を使用する。
【００３６】
イメージをディスプレイする別の方法は、プログレッシブスキャン（ｐｒｏｇｒｅｓｓｉｖｅ  ｓｃａｎ）として知られており、ＨＤＴＶ及び薄型トランジスタ（ＴＦＴ）モニタを使用する別のディスプレイのようなより現代的なディスプレイ装置のために設計された。デジタルカメラなどを含んでよい。プログレッシブスキャンとは、テレビ映像を構成する線が一度に連続的に表示される過程をいう。プログレッシブスキャンをインターレーススキャンと差別化する点は、プログレッシブスキャンシステムが２度通過することではなく、一度に画面の全ての線を写す。各ラインは、インターレーススキャンのように、奇数番目ラインと偶数番目ラインとが交互に順番通りに埋まる。例えば、１／６０秒ごとに一度ずつ早い再生頻度が発生する。
【００３７】
ここで、１以上の実施形態は、それぞれのパネルのスキャニングを制御することで、マルチスクリーンディスプレイで隣接するパネル間のイメージ歪みを軽減させるディスプレイ装置及び方法に関する。
【００３８】
図１は、本発明の一実施形態に係る複数のディスプレイ装置で構成されたディスプレイシステム１０００を示す図である。
【００３９】
ディスプレイシステム１０００は、複数のディスプレイ装置１００−１、１００−２、１００−３、１００−４で構成され、各ディスプレイ装置が同一の映像を同時にディスプレイするか、相互異なる映像をそれぞれディスプレイしてそれぞれの映像が組み合わせられると１つの全映像を構成する。
【００４０】
図１の場合、１つの映像を４台のディスプレイ装置１００−１、１００−２、１００−３、１００−４が同時にディスプレイする場合を描写したものである。４台のディスプレイ装置１００−１、１００−２、１００−３、１００−４で表示されるそれぞれの映像の出所は、４台のディスプレイ装置１００−１、１００−２、１００−３、１００−４のいずれか１つである。
【００４１】
別の例として、イメージのソースは、セットトップボックス、コンソール、制御システムなどのような１つ以上のディスプレイ装置に接続された外部装置であってよい。
【００４２】
例えば、第１ディスプレイ装置１００−１が第１ディスプレイ装置１００−１に保存された映像を順次に第２、第３及び第４ディスプレイ装置１００−２、１００−３、１００−４に伝送し、４台のディスプレイ装置１００−１、１００−２、１００−３、１００−４で同一の映像が表示されるようにすることができる。
【００４３】
このようなチェーン構造のディスプレイシステムは、並列構造に比べて回路構成を統一して単純化することができ、コスト削減効果があるという長所がある一方で、ディスプレイ装置を１台通過する度にディレイ（Ｄｅｒａｙ）が発生し、ディスプレイシステムを構成するディスプレイ装置間で映像を表示する時間の差が発生するという問題がある。
【００４４】
本発明の一実施形態に係るディスプレイシステム１０００は、それぞれのディスプレイ装置にディレイタイムを設定し、上述の問題点を解決することができる。すなわち、４台のディスプレイ装置１００−１、１００−２、１００−３、１００−４それぞれに異なるディレイタイムを設定し、それぞれのディレイタイムが経過した後、映像が表示されるように制御する場合、４台のディスプレイ装置１００−１、１００−２、１００−３、１００−４で同時に同一のフレームが表示されてよい。よって、ディスプレイシステムを構成する４台のディスプレイ装置１００−１、１００−２、１００−３、１００−４で表示される映像の同期化を取ることができるようになる。
【００４５】
一方、４台のディスプレイ装置１００−１、１００−２、１００−３、１００−４が利用されるものとして説明したが、それは説明の便宜のためであるだけで、ディスプレイシステム１０００を構成するディスプレイ装置の数がそれに制限されるわけではない。
【００４６】
本発明の一実施形態に係るディスプレイシステム１０００を概念的に図２に示す。しかし、例示的な実施形態はそれに制限されない。別の例として、それぞれのディスプレイ装置全ては相互直接接続されてよい。
【００４７】
図２は、各ディスプレイ装置が隣接するディスプレイ装置にのみ直接接続されたものとして描写したが、本発明の多様な実施形態によると、接続形態がそれに制限されるわけではない。例えば、各ディスプレイ装置が別のディスプレイ装置全てと直接接続されてよい。
【００４８】
一方、図２においては、ディスプレイ装置の接続を一本の線で示しているが、２以上の通信経路で実現されてよい。なお、有線ではない無線通信方式で通信が行われてよい。具体的な伝送方法については、以下で詳細に説明する。
【００４９】
図２を参照すると、第１ディスプレイ装置１００−１は、第２及び第４ディスプレイ装置１００−２、１００−４と映像を送受信することができ、その反対の場合も可能である。なお、本実施形態において、第２及び第４ディスプレイ装置１００−２、１００−４は、第３ディスプレイ装置１００−３と映像を送受信することができる。この例において、第１ディスプレイ装置１００−１と第３ディスプレイ装置１００−３とは、相互直接通信しない。同様に、第２ディスプレイ装置１００−２と第４ディスプレイ装置１００−４とは、相互直接通信しない。この例において、一部のディスプレイ装置は相互間接的に通信する一方、一部のディスプレイ装置は相互直接通信する。すなわち、一部のディスプレイ装置は、ターゲットディスプレイ装置と通信するために中間ディスプレイ装置を使用する。
【００５０】
図３を参照すると、本発明の一実施形態に係るディスプレイシステムを構成するディスプレイ装置１００は、通信インターフェース部１１０と、イメージ処理部１２０と、ディスプレイ部１３０と、制御部１４０と、ユーザインターフェース部１５０及びセンサ部１６０を含む。例えば、ディスプレイ装置１００は、図１及び図２に示す第１ないし第４ディスプレイ装置１００−１ないし１００−４に相当してよい。
【００５１】
なお、ディスプレイ装置１００は、ディスプレイシステム内に含まれた別のディスプレイ装置１００を制御するのに使用されてよい。例えば、図３において言及するディスプレイ装置１００は、図１のディスプレイ装置１００−１であってよい。この例示において、ディスプレイ装置１００は、第２ディスプレイ装置１００−２ないし第４ディスプレイ装置１００−４を制御するのに使用されてよい。
【００５２】
通信インターフェース部１１０は、外部装置と通信を行うための構成として、特に他ディスプレイ装置と通信を行うことができる。具体的に、通信インターフェース１１０は、外部サーバ（図示せず）または他ディスプレイ装置から入力映像を受信したり、受信された入力映像を他ディスプレイ装置に伝送することができる。なお、通信インターフェース部１１０は、有線通信方式だけでなく、無線通信方式を用いて入力映像を受信または送信することができる。通信インターフェース部１１０の具体的な動作については、図４及び図５を参照して後述する。
【００５３】
イメージ処理部１２０は、通信インターフェース部１１０を介して受信された入力映像を分割することができる。特に、イメージ処理部１２０は、制御部１４０の制御に応じて、ディスプレイシステム上でディスプレイ装置の数及び配列状態に応じて入力映像を分割することができる。
【００５４】
このとき、イメージ処理部１２０は、ディスプレイ装置のディスプレイシステム上の配置位置に応じて分割された入力映像に対する回転イメージ処理を行うことができる。例えば、ディスプレイ装置１００が上下に隣接した他ディスプレイ装置と異なる方向（具体的に、映像の表示方向を基準に１８０度回転して配置される場合）に配置される場合、分割された映像を回転イメージ処理することができる。一方、本実施形態においては、映像を分割して分割された映像に対する回転イメージ処理を行うものとして説明したが、実現時には、入力映像を回転イメージ処理した後に表示される領域を分割する形態でも実現されてよい。
【００５５】
ディスプレイ部１３０は、各種映像を表示することができる。特に、ディスプレイ部１３０には、ディスプレイシステム上でディスプレイ装置の配置位置に基づいて分割された映像のうちの１つの映像が表示されてよい。例えば、２×２ディスプレイシステムの場合、左側上段に位置するディスプレイ装置には４つに分割された映像のうち、左側上段の映像が表示されてよい。
【００５６】
そして、ディスプレイ部１３０は、一側方向にフレームをスキャニングして映像を表示する。具体的に、ディスプレイ部１３０は、パネルの最上段で左側から右側にスキャニングしつつ、パネルの最下段までスキャニングするようになる。もし、パネルのフレーム比率（Ｆｒａｍｅ  ｒａｔｅ）が６０Ｈｚである場合、パネルの最上段から最下段までスキャニングするのにかかる時間は１７．６ｍｓである。このようなスキャニングディレイによってディスプレイ装置間で映像がずれる現象が発生するようになるが、具体的な内容は、図７及び図８を参照して後述する。
【００５７】
なお、ディスプレイ部１３０は、イメージ処理された映像を複数の領域に区画し、区画された複数の領域を上部から下部方向に更新する第１スキャンモード及び区画された複数の領域を下部から上部方向に更新する第２スキャンモードを有してよい。
【００５８】
ユーザインターフェース部１５０は、ディスプレイ装置１００とユーザとの間の意思疎通のためのものとして、ディスプレイ装置１００のディスプレイシステム１０００上の配置位置を入力されるためのメニューを提供する。ここで、ユーザ入力は、ディスプレイシステム１０００内のディスプレイ装置１００の位置を識別することができる。ユーザインターフェース１５０は、オンスクリーンディスプレイ（ＯＳＤ）方式で提供されてよく、ディスプレイシステム１０００上の配置位置全部または一部のリストを提供する。ユーザは、キーパネル、リモコン、音声認識手段などのような入力部（図示せず）を介してリスト上でディスプレイシステム１０００上の配置位置を選択することができる。
【００５９】
センサ部１６０は、ディスプレイ装置１００の配置方向を検知することができる。具体的に、センサ部１６０は、ディスプレイ装置１００が正方向に配置されているか、または、１８０度回転されて配置されているかを検知することができる。なお、センサ部１６０は地磁気センサを含んでよく、地磁気センサを用いてディスプレイ装置１００の回転有無を検知することができる。
【００６０】
制御部１４０は、ディスプレイ装置１００内の各構成を制御する。具体的に、制御部１４０は、ディスプレイ装置１００の配置位置に基づいて分割された映像のうちの１つの映像を表示することができる。よって、ディスプレイシステム１０００を構成するディスプレイ装置１００それぞれは、配列された配置位置に対応する映像を表示してディスプレイシステム１０００全体が１つの大きい画面を表示するようにすることができる。
【００６１】
そして、制御部１４０は、ディスプレイ装置１００が反転されて配置される場合、分割された映像のうちの１つの映像を反転して表示するようにディスプレイ部１１０を制御することができる。ディスプレイ装置１００が反転されて配置されると、上下に配置されるディスプレイ装置のスキャニングディレイによる問題点を解決することができるが、具体的な内容は図７及び図８を参考にして後述する。
【００６２】
そして、制御部１４０は、ユーザインターフェース部１５０を介して反転モードが入力されるか、センサ部１６０を介してディスプレイ装置１００の反転が検知されると、ディスプレイ装置１００が反転されて配置されるものとして認識し、映像を反転して表示することができる。
【００６３】
以上のように、本実施形態に係るディスプレイ装置１００は、他ディスプレイ装置と相互隣接する領域における画面更新を同一の時点で行うことができるため、スキャニングディレイによる２ディスプレイ装置間の画面の歪みを最小化することができる。
【００６４】
一方、図３を説明するうえで、入力映像を外部から受信し、受信した入力映像を区画して表示するものとして説明したが、ディスプレイ装置は保存素子を有し、保存された映像を表示することができる。このとき、複数のディスプレイ装置それぞれは、全て個別的に映像を保存したり、１つのディスプレイ装置のみに映像を保存し、当該装置が他ディスプレイ装置に映像を提供する形態でも実現されてよい。
【００６５】
図４及び図５は、本発明の一実施形態に係るディスプレイ装置が入力映像を受信する方法を説明するための図である。
【００６６】
ディスプレイ装置１００は、入力映像を通信インターフェース１１０を介して受信するようになるが、一般的に、並列構造方式またはチェーン方式で受信する。
【００６７】
図４は、ディスプレイ装置１００が並列構造方式で入力映像を受信する方法を示す図である。具体的に、ディスプレイシステム上でディスプレイ装置とは別途のプロセッサ４００が存在し、入力映像を受信してディスプレイ装置の数及び配列に基づいて入力映像を分割する。プロセッサ４００は、このような分割された入力映像をそれぞれのディスプレイ装置１００−１、１００−２、１００−３、１００−４に供給することができる。よって、それぞれのディスプレイ装置１００−１、１００−２、１００−３、１００−４は、同時に分割された映像を受信するようになるため、映像の同期化を取る必要がなくなる。ただ、この場合、別途のプロセッサが必要となるため、更なる費用が発生し、回路構成が複雑化するという短所がある。
【００６８】
図５は、ディスプレイ装置１００がチェーン方式で入力映像を受信する方法を示す図である。具体的に、４台のディスプレイ装置１００−１、１００−２、１００−３、１００−４のうちいずれか１つのディスプレイ装置１００−１が外部装置から入力映像を受信し、入力映像を受信した第１ディスプレイ装置１００−１は第２ディスプレイ装置１００−２に入力映像を伝送し、その後順次に、第３及び第４ディスプレイ装置１００−３、１００−４に入力映像を伝送するようになる。この場合、回路構成を単純化することができてコストが削減できるが、映像伝送によるディレイが発生し、ディスプレイ装置１００で表示される画面が一致しないことがある。例えば、画像のタイミングは、それぞれのディスプレイ装置で異なってよい。よって、制御部１４０は、ディレイタイムを設定してディレイタイムが経過した後、映像を表示するように制御し、ディスプレイ装置で表示される画面の同期化を取ることができる。具体的なディレイタイムを設定する方法に対する内容は図１１を参照して後述する。
【００６９】
図６は、本発明の一実施形態に係るイメージ処理部が入力映像を分割する方法を示すための図である。
【００７０】
通信インターフェース部１１０は、外部装置または他ディスプレイ装置から入力映像を受信されるが、ここで入力映像は、１つの完全な映像６００であってよい。ディスプレイシステム１０００が１つの大きい映像を表示するためには、それぞれのディスプレイ装置１００−１、１００−２、１００−３、１００−４は分割された画面を表示しなければならないため、イメージ処理部１２０はディスプレイシステム１０００を構成するディスプレイ装置１００の数及び配列を考慮して入力映像を分割することができる。
【００７１】
例えば、４台のディスプレイ装置がディスプレイシステム１０００を構成する場合、イメージ処理部１２０は入力映像を４つの映像６００−１、６００−２、６００−３、６００−４に分割することができる。制御部１４０は、ディスプレイ装置の配置位置に基づいて分割された映像のうちの１つの映像をディスプレイ部１３０に表示することができる。図６に示すように、分割された４つの映像のうち、第１映像６００−１は第１ディスプレイ装置１００−１に表示され、第２、第３及び第４映像６００−２、６００−３、６００−４それぞれは、第２、第３及び第４ディスプレイ装置１００−２、１００−３、１００−４のそれぞれに表示されてよい。
【００７２】
よって、入力映像を４台のディスプレイ装置１００−１、１００−２、１００−３、１００−４が有機的に結合された１つの大きいディスプレイ装置に表示するもののような効果を得ることができる。
【００７３】
図７は、本発明の一実施形態に係る映像をスキャニングする方法を説明するための図である。
【００７４】
ディスプレイ部１３０は、映像をパネルに表示する際、それぞれのフレームをスキャニングする方法で表示することができる。具体的に、パネルの最上段から最下段まで左側から右側、または右側から左側にスキャニングすることも可能である。このようなスキャニングによって１つのフレームを１つのパネルに表示する間にディレイが発生するようになるが、それをスキャニングディレイ（Ｓｃａｎｎｉｎｇ  ｄｅｌａｙ）という。
【００７５】
スキャニングディレイは、パネルフレーム比率に比例するが、一般的に、フレーム比率が６０Ｈｚである場合は１７．６ｍｓのスキャニングディレイが発生し、フレーム比率が１２０Ｈｚ、２４０Ｈｚと大きくなると、スキャニングディレイは８．８ｍｓ、４．４ｍｓと低減する。
【００７６】
制御部１４０は、このようなスキャニングディレイを解決するために、他ディスプレイ装置が映像をスキャニングする方向と異なる方向に映像をスキャニングする。具体的に、第１ディスプレイ装置１００−１が映像を上側から下側方向にスキャニングする場合、第４ディスプレイ装置１００−４は映像を下側から上側方向にスキャニングすることができる。この場合、第１ディスプレイ装置１００−１と第４ディスプレイ装置１００−４とが接する面のフレームが一致するようになるため、第１ディスプレイ装置１００−１と第４ディスプレイ装置１００−４とが相接する領域で発生し得る歪みを取り除くことができるようになる。すなわち、各イメージのスキャニングが始まる第１ディスプレイ装置及び第４ディスプレイ装置１００−１、１００−４のエッジは相互一致することができる。なお、逆に第１ディスプレイ装置１００−１が映像を下側から上側方向にスキャニングし、第４ディスプレイ装置１００−４は映像を上側から下側方向にスキャニングする場合にも、第１ディスプレイ装置１００−１と第４ディスプレイ装置１００−４との境界で発生し得る歪みを取り除くことができる効果がある。
【００７７】
図８は、本発明の一実施形態に係る映像を別の方向にスキャニングする動作を説明するための図である。
【００７８】
上述のように、ディスプレイ部１３０は映像を上側から下側方向、または下側から上側方向にスキャニングすることができ、左側から右側、または右側から左側にスキャニングすることができる。よって、図８に示すように、第１ディスプレイ装置１００−１が左側から右側にスキャニングしつつ上側から下側にスキャニングする場合、第４ディスプレイ装置１００−４は左側から右側にスキャニングしつつ下側から上側にスキャニングする場合にも、スキャニングディレイによる画面ズレ現象を軽減することができるようになる。すなわち、左側から右側、または右側から左側のうちいずれかの方向にスキャニングするに関わらず、第１及び第２ディスプレイ装置が上側から下側にスキャニングする場合、第３及び第４ディスプレイ装置は下側から上側にスキャニングし、第１及び第２ディスプレイ装置が下側から上側にスキャニングする場合、第３及び第４ディスプレイ装置は上側から下側にスキャニングさえすれば、スキャニングディレイによる画面のズレ現象を軽減することができる。
【００７９】
図９及び図１０では、本発明の一実施形態に係るディスプレイ装置が上下反転されて配置される場合について説明する。
【００８０】
ディスプレイシステム１０００を構成するディスプレイ装置１００は、ディスプレイ装置間の間隔が狭くなるように配置されなければならないが、それはディスプレイ装置１００のベゼルに関連する。ディスプレイ装置１００のベゼルは、一側面が他側面より厚いため、厚い面のベゼルがディスプレイシステム１０００の外面にくるように配置しなければならない。よって、４台のディスプレイ装置で構成されたディスプレイシステム１０００の場合、上側または下側に配列されたディスプレイ装置は上下反転されて配置されてよい。
【００８１】
図９には、上側のディスプレイ装置１００−１、１００−２が上下反転されて配置された場合を示す。ディスプレイ装置１００が上下反転されて配置されると（すなわち、１８０度回転して配置されると）、映像が上下、左右反転されて表示される。よって、ディスプレイシステム１０００上で入力映像をそのまま表示するために、上下反転されたディスプレイ装置１００−１、１００−２では反転された映像を表示することができる。この場合、反転された映像は上下反転及び左右反転された映像であってよい。なお、反転された映像を表示するために、ディスプレイ部１３０はフレーム反転ディスプレイであってよい。
【００８２】
図１及び図２の例において、図９及び図１０を参照すると、ディスプレイシステムの上部に配置されたディスプレイ装置１００−１及び１００−２は反転される。すなわち、ディスプレイ装置１００−１、１００−２は逆となって配置される。よって、ディスプレイ装置１００−１、１００−２は自らがディスプレイするイメージを反転させることができる。上側に配置されたディスプレイ装置１００−１、１００−２で反転された映像を表示する場合、図１０に示すように、ディスプレイシステム１０００上で入力映像をそのまま表示することができるようになる。
【００８３】
図１１は、本発明の一実施形態に係るディスプレイ装置の配置位置によるディレイを説明するための図である。
【００８４】
ディスプレイ装置１００がチェーン方式で入力映像を受信する場合、すなわち、第１ディスプレイ装置１００−１が入力映像を受信し、第２、第３及び第４ディスプレイ装置１００−２、１００−３、１００−４に順次に入力映像が伝送される場合、各ディスプレイ装置間でディレイが発生するようになる。
【００８５】
制御部１４０は、各ディスプレイ装置１００−１、１００−２、１００−３、１００−４の配置位置を考慮してディレイタイムを設定することができる。例えば、一台のディスプレイ装置１００を通過する度にＤ時間がかかる場合、第１ディスプレイ装置１００−１の位置ディレイタイムｄ３はＤ＊３が設定され、第２ディスプレイ装置１００−２の位置ディレイタイムｄ２はＤ＊２、第３ディスプレイ装置１００−３の位置ディレイタイムｄ３はＤ＊１が設定されてよい。
【００８６】
この場合、各ディスプレイ装置１００−１、１００−２、１００−３、１００−４の配置位置はユーザインターフェース部１５０を介して入力されてよい。
【００８７】
図１２は、本発明の一実施形態に係るディスプレイ装置の反転によるディレイを説明するための図である。
【００８８】
反転されたディスプレイ装置１００−１、１００−２の場合、反転映像を表示するためにディレイが発生するため、反転されていないディスプレイ装置１００−３、１００−４に特定のディレイタイムを追加して映像を同期化することができる。例えば、ディスプレイ部１３０に反転映像を表示するのにかかる時間がＤ’時間かかる場合、反転されていない第３及び第４ディスプレイ装置１００−３、１００−４にはそれぞれの位置ディレイタイムに追加的に反転ディレイタイムＤ’を付加することができる。ここで、Ｄ’時間がかかると記載したが、Ｄ’時間は反転映像を表示するための如何なる時間になってよく、特定の時間に制限されない。
【００８９】
この場合、ディスプレイ装置１００の反転は、ユーザインターフェース部１５０を介して入力されたり、センサ部１６０を介して検知することができる。具体的に、ユーザインターフェース部１５０で反転モードが選択されると、反転モードが選択されたディスプレイ装置１００は反転されたと認識し、反転映像を表示することができる。なお、センサ部１６０を介して反転が検知されると、ディスプレイ装置１００が反転されたと認識し、反転映像を表示することができる。センサ部１６０は、反転有無を検知することができる地磁界センサで構成されてよい。
【００９０】
なお、Ｄ及びＤ’は予め設定された値であり、制御部１４０は各ディスプレイ装置１００の配置位置及び反転有無に基づいて位置ディレイタイムを自動で演算して設定することができる。ただ、ユーザインターフェース部１５０を介して特定ディレイタイムが入力される場合には、ユーザの入力したディレイタイムが優先的に適用されてよい。
【００９１】
図１３は、本発明の一実施形態に係るディスプレイ装置のディスプレイ方法を説明するためのフローチャートである。図１３を参照すると、ディスプレイ装置１００は、外部装置または他ディスプレイ装置から入力映像を受信する（Ｓ１３１０）。すなわち、それぞれのディスプレイ装置１００は、外部装置から直接分割された入力映像を受信するか、１つのディスプレイ装置１００が入力映像を受信し、順次に別のディスプレイ装置１００が入力映像を受信することができる。そして、ディスプレイ装置１００は、受信した入力映像を分割する（Ｓ１３２０）。この場合、ディスプレイシステム１０００上においてディスプレイ装置の数及び配列を考慮して分割する。
【００９２】
そして、ディスプレイ装置１００は、分割された映像のうちの１つの映像を他ディスプレイ装置が映像をスキャニングする方向と異なる方向にスキャニングして表示する（Ｓ１３３０）。例えば、他ディスプレイ装置が下側から上側にスキャニングする場合、ディスプレイ装置１００は上側から下側にスキャニングして映像を表示することができる。よって、それぞれの表示装置の間の境界領域で画像の歪みを防止することができる。
【００９３】
図１４及び図１５は、ディスプレイ装置１００の反転による反転映像を表示する方法を説明するための図である。
【００９４】
図１４及び図１５を参照すると、ディスプレイ装置１００は、入力映像を受信（Ｓ１４１０、Ｓ１５１０）し、受信した映像を分割（Ｓ１４２０、Ｓ１５２０）した後、反転モードを選択したり（Ｓ１４３０）、反転が検知された場合（Ｓ１５３０）、分割された映像のうちの１つの映像を反転して表示することができる（Ｓ１４４０、Ｓ１５４０）。
【００９５】
図１６及び図１７は、本発明の一実施形態に係るディスプレイ装置の配置位置及び反転によるディレイを説明するためのフローチャートである。
【００９６】
図１６及び図１７を参照すると、ディスプレイ装置１００はディスプレイ装置の配置位置が入力されることができる（Ｓ１６１０、Ｓ１７１０）。具体的に、ユーザがユーザインターフェース部を介してディスプレイ装置の配置位置を入力すると、ディスプレイ装置がディスプレイシステム上で位置している座標を知ることができるようになる。
【００９７】
ディスプレイ装置の配置位置が入力されると、ディスプレイ装置の配置位置に基づいて位置ディレイタイムを設定することができる（Ｓ１６２０、Ｓ１７２０）。位置ディレイタイムは、予め設定されたディレイ値とディスプレイ装置の配置位置とを用いて自動で設定されたり、ユーザによってディレイタイムが入力されてよい。
【００９８】
反転モードが選択されたり（Ｓ１６３０）、センサ部によって反転が検知されると（Ｓ１７３０）、位置ディレイタイムに追加的に予め設定された反転ディレイタイムが経過した後、映像を表示する（Ｓ１６５０、Ｓ１７５０）。ただ、反転モードが選択されず、センサ部で反転が検知されなければ、位置ディレイタイムが経過した後、映像を表示する（Ｓ１６４０、Ｓ１７４０）。よって、ディスプレイ装置の配置位置及び反転によるディレイを補償するようになるため、ディスプレイシステム１０００を構成するディスプレイ装置１００で表示される画面の同期化をとることができるようになる。
【００９９】
図１８は、本発明の一実施形態に係るディスプレイシステムを構成するディスプレイ装置のディスプレイ方法を説明するためのシーケンス図である。図１８を参照すると、本ディスプレイシステムは、第１及び第２ディスプレイ装置１００−１、１００−２で構成される。
【０１００】
第１ディスプレイ装置１００−１は、外部装置から入力映像を受信する（Ｓ１８１０）。第１ディスプレイ装置１００−１は、受信した入力映像を第２ディスプレイ装置に伝送する（Ｓ１８２０）。
【０１０１】
第１ディスプレイ装置１００−１及び第２ディスプレイ装置１００−２は、受信した入力映像をディスプレイシステム１０００上でディスプレイ装置１００の数及び配列に基づいて分割する（Ｓ１８３０ａ、１８３０ｂ）。なお、第１ディスプレイ装置１００−１及び第２ディスプレイ装置１００−２それぞれは、ディスプレイ装置１００の配置位置に基づいて位置ディレイタイムを設定することができる（Ｓ１８４０ａ、Ｓ１８４０ｂ）。
【０１０２】
第１ディスプレイ装置１００−１は、第２ディスプレイ装置１００−２が反転された場合、反転によるディレイを補償するために、位置ディレイタイムに追加的に反転ディレイタイムを付加することができる（Ｓ１８５０ａ）。同様に、第２ディスプレイ装置１００−２は、第１ディスプレイ装置１００−１が反転された場合、反転によるディレイを補償するために、位置ディレイタイムに追加的に反転ディレイタイムを付加することができる（Ｓ１８５０ｂ）。これにより、第１ディスプレイ装置１００−１及び第２ディスプレイ装置１００−２で表示される映像の同期化を取ることができる。
【０１０３】
そして、第１ディスプレイ装置１００−１は、位置ディレイタイム及び反転ディレイタイムが経過した後、第２ディスプレイ装置のスキャニング方向と異なる方向にスキャニングして映像を表示することができる（Ｓ１８６０ａ）。なお、第２ディスプレイ装置１００−２は、位置ディレイタイム及び反転ディレイタイムが経過した後、第１ディスプレイ装置のスキャニング方向と異なる方向にスキャニングして映像を表示することができる（Ｓ１８６０ｂ）。すなわち、第２ディスプレイ装置が上側から下側にスキャニングする場合、第１ディスプレイ装置は下側から上側にスキャニングし、第２ディスプレイ装置が下側から上側にスキャニングする場合、第１ディスプレイ装置は上側から下側にスキャニングすることができる。これにより、上側と下側とに配置されたディスプレイ装置の接する面のフレームを同期化することができるため、スキャニングディレイによる映像のズレ現象を軽減することができる。
【０１０４】
その他にも、図１ないし図１２を参照して説明した内容に基づいて多様なディスプレイ方法が導出されてよい。このような多様な実施形態に係るディスプレイ方法は上述しているため、繰り返し説明は省略する。
【０１０５】
一方、本ディスプレイシステム１０００は、４台のディスプレイ装置１００−１、１００−２、１００−３、１００−４が利用されたものとして説明したが、それは説明の便宜のためのものであって、図１９に示すように、ディスプレイシステム１０００を構成するディスプレイ装置の数がそれに限定されるわけではなく、本ディスプレイシステム１０００は、１台または２台以上のディスプレイで構成されてよい。例えば、図１９に示すように、表示装置１００は、Ｎ×Ｍの表示装置のアレイを生成するために、Ｎの列とＭの列で配列される非制限的な一例として２次元配列で配列されてよい。
【０１０６】
例えば、ディスプレイシステム１０００は、マルチスクリーンディスプレイ、マルチパネルディスプレイ、マルチモニタディスプレイ、ビデオウォール、マトリックス、グリッドなどであってよい。図示しないが、ディスプレイシステム１０００は、図１に示す制御部１４０のような制御器を含んでよい。または、１つ以上のディスプレイ装置に有線または無線で接続する外部装置に含まれてよい。制御器は、ディスプレイシステム１０００によってディスプレイされるイメージを制御することができる。例えば、制御器は、複数の表示装置によって表示される画像の間に画像の歪みが発生することを防止するために、ディスプレイシステム１０００内のそれぞれのディスプレイパネルによって行われるタイミング、スキャニング（開始点及び終了点及び方向）を制御することができる。
【０１０７】
上述の多様な実施形態に係る少なくとも１つの他ディスプレイ装置と連携し、ディスプレイシステムを構成するディスプレイ装置のディスプレイ方法は、非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）に保存されてよい。このような非一時的な読み取り可能な媒体は、多様な装置に搭載されて使用されてよい。
【０１０８】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１０９】
それにより、上述のプログラムが既存のディスプレイ装置に設置され、スキャニング方向が相互異なるディスプレイ装置で構成されたディスプレイシステムが実現されてよい。
【０１１０】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
2018504620.tif 000003
【図２】
2018504620.tif 000004
【図３】
2018504620.tif 000005
【図４】
2018504620.tif 000006
【図５】
2018504620.tif 000007
【図６】
2018504620.tif 000008
【図７】
2018504620.tif 000009
【図８】
2018504620.tif 000010
【図９】
2018504620.tif 000011
【図１０】
2018504620.tif 000012
【図１１】
2018504620.tif 000013
【図１２】
2018504620.tif 000014
【図１３】
2018504620.tif 000015
【図１４】
2018504620.tif 000016
【図１５】
2018504620.tif 000017
【図１６】
2018504620.tif 000018
【図１７】
2018504620.tif 000019
【図１８】
2018504620.tif 000020
【図１９】
2018504620.tif 000021
【国際調査報告】
2018504620.tif 000022
2018504620.tif 000023